(57)【要約】【課題】回転ドラム２の回転によって、塵芥を排出口２３１側に確実に送り込み可能な塵芥貯留装置１を提供する。【解決手段】塵芥貯留装置１は、回転ドラム２と、回転ドラム２の開口２１１から回転中心軸Ｘ１方向に挿入されることによって回転ドラム２内における開口２１１の近傍に配置される導入部材３と、を備える。導入部材３は、回転ドラム２の開口２１１よりも小径の略円筒形状であって、回転ドラム２の回転中心軸Ｘ１に対して、回転方向前側に偏心して配置されている。これにより、導入部材３の側部と回転ドラム２の内周面との間で径方向に形成される２つの隙間Ｃ１，Ｃ２の内、回転方向の前側に形成される隙間Ｃ２の方が、その後側に形成される隙間Ｃ１よりも狭くなるように構成される。【選択図】図２
2010083621.tif 000002
【特許請求の範囲】
【請求項１】
水平方向に延びる回転中心軸に対して回転可能に配置されると共に、その回転中心軸方向の一端が開口しかつ、他端が開閉可能な排出口とされた筒状であって、前記開口側から内部に投入された塵芥を、所定の回転方向に回転するに伴い前記排出口側に送り込むことによって、当該塵芥を圧縮してその内部に貯留する回転ドラムと、
前記回転ドラムの前記開口から前記回転中心軸方向に挿入されることによって前記回転ドラム内における前記開口の近傍に配置されかつ、前記回転ドラム内に塵芥を導入するための導入部材と、を備え、
前記導入部材は、前記回転ドラムの前記開口よりも小径の略円筒形状であると共に、その筒軸方向の一端面に、前記塵芥が投入される投入口を備えると共に、その周面に前記回転ドラム内で下向きに開口することにより、前記投入口と前記回転ドラム内とを互いに連通する連通口を備え、
前記導入部材はまた、前記回転ドラムの回転中心軸方向に見たときに、その筒軸が、前記回転中心軸に対して、その回転中心軸を通る鉛直線を挟んだ前記回転ドラムの回転方向前側に偏心して配置されており、それによって、前記回転方向の前側と後側とのそれぞれにおいて前記導入部材の側部と回転ドラムの内周面との間で径方向に形成される２つの隙間の内、前記回転方向の前側に形成される隙間の方が、その後側に形成される隙間よりも狭くなるように構成されている塵芥貯留装置。
【請求項２】
請求項１に記載の塵芥貯留装置において、
前記投入口は、前記回転ドラムの回転中心軸よりも下側の位置に配置されている塵芥貯留装置。
【請求項３】
請求項２に記載の塵芥貯留装置において、
前記導入部材は、前記回転ドラムの回転中心軸から下側の部分よりなる半円筒形状を有している塵芥貯留装置。
【発明の詳細な説明】
【技術分野】
【０００１】
本発明は、例えば集合住宅等に設置され、塵芥収集車によって回収されるまでの間、塵芥を一時的に貯留しておくための塵芥貯留装置に関する。
【背景技術】
【０００２】
従来より、この種の塵芥貯留装置として、例えば特許文献１に開示されているように、水平方向に延びる回転中心軸に対して回転可能となるように設置された回転ドラムを有する塵芥貯留装置が知られている。
【０００３】
この塵芥貯留装置では、回転ドラムの回転中心軸方向の一端に塵芥が投入される投入口が、その他端に塵芥を排出する開閉可能な排出口が、それぞれ形成されていると共に、その内部には、回転ドラムの内周面に沿って回転中心軸方向に延びる螺旋状の羽根が形成されている。そうしてこの塵芥貯留装置では、回転ドラムの回転に伴い、投入口から投入された塵芥が、螺旋状の羽根によって排出口側に送り込まれるようになり、それによって、その回転ドラム内で、塵芥を圧縮しながら貯留するようになっている。
【特許文献１】特開昭５４−１０４６６６号公報
【発明の開示】
【発明が解決しようとする課題】
【０００４】
しかしながら、従来の塵芥貯留装置では、回転ドラム内の塵芥の量が比較的少ないときには、前述したように、回転ドラムの回転に伴い、螺旋状の羽根によって塵芥を排出口側に送り込むことができるものの、回転ドラム内の塵芥の量が多くなったときには、回転ドラムを回転させて螺旋状の羽根を回転させたとしても、排出口側に貯留されている大量の塵芥によって、投入された塵芥が排出口側に送り込まれなくなり、その塵芥が投入口の近傍位置において回転ドラムの内周面に沿ってぐるぐると周回してしまうという不都合がある。
【０００５】
本発明は、かかる点に鑑みてなされたものであり、その目的とするところは、回転ドラムの回転によって、塵芥を排出口側に確実に送り込むことが可能な塵芥貯留装置を提供することにある。
【課題を解決するための手段】
【０００６】
本発明は、回転ドラム内の投入口側に、塵芥を導入するための、略円筒形状の導入部材を配置することによって、その導入部材の周面（後述する、回転方向前側及び後側の側部を含んだ導入部材の全周面）と回転ドラムの内周面との間の径方向に対して、塵芥が通過し難い狭い隙間を形成するようにし、そのことで、塵芥がその投入口の近傍位置において回転ドラムの内周面に沿って周回することを抑制するようにした。
【０００７】
さらに本発明では、その略円筒形状の導入部材を回転ドラムに対し偏心して配置することにより、回転中心軸を通る鉛直線を挟んだ前記回転ドラムの回転方向前側と後側とのそれぞれにおいて、導入部材の前記周面の一部としての側部と回転ドラムの内周面との間で径方向に対し形成される２つの隙間の内、回転方向の前側に形成される隙間の方が、その後側に形成される隙間よりも狭くなるようにして、その前側の隙間を塵芥が通過することを確実に防止するようにしたものである。
【０００８】
本発明の一側面によると、塵芥貯留装置は、水平方向に延びる回転中心軸に対して回転可能に配置されると共に、その回転中心軸方向の一端が開口しかつ、他端が開閉可能な排出口とされた筒状であって、前記開口側から内部に投入された塵芥を、所定の回転方向に回転するに伴い前記排出口側に送り込むことによって、当該塵芥を圧縮してその内部に貯留する回転ドラムと、前記回転ドラムの前記開口から前記回転中心軸方向に挿入されることによって前記回転ドラム内における前記開口の近傍に配置されかつ、前記回転ドラム内に塵芥を導入するための導入部材と、を備える。
【０００９】
前記導入部材は、前記回転ドラムの前記開口よりも小径の略円筒形状であると共に、その筒軸方向の一端面に、前記塵芥が投入される投入口を備えると共に、その周面に前記回転ドラム内で下向きに開口することにより、前記投入口と前記回転ドラム内とを互いに連通する連通口を備え、前記導入部材はまた、前記回転ドラムの回転中心軸方向に見たときに、その筒軸が、前記回転中心軸に対して、その回転中心軸を通る鉛直線を挟んだ前記回転ドラムの回転方向前側に偏心して配置されており、それによって、前記回転方向の前側と後側とのそれぞれにおいて前記導入部材の側部と回転ドラムの内周面との間で径方向に形成される２つの隙間の内、前記回転方向の前側に形成される隙間の方が、その後側に形成される隙間よりも狭くなるように構成されている。
【００１０】
この構成によると、回転ドラムの開口から略円筒形状の導入部材を挿入してその内部に配置することにより、回転ドラムの開口近傍（つまり、投入口近傍）では、導入部材の周面（回転方向前側及び後側の側部を含んだ導入部材の全周面）と回転ドラムの内周面との間の径方向に隙間が形成される。
【００１１】
導入部材の連通孔を通じて回転ドラム内に投入された塵芥は、回転ドラムの回転中心軸方向に見たときに、回転ドラムが所定の回転方向に回転するに伴い、回転ドラムの内周面に沿うように、回転中心軸を通る鉛直線を挟んだ前記回転ドラムの回転方向後側から前側に向かって移送されるようになるが、導入部材の周面と回転ドラムの内周面との間の径方向に形成した隙間を、塵芥が通過し難い程度の幅に設定することによって、塵芥が投入口の近傍位置において回転ドラムの内周面に沿ってぐるぐると周回することが抑制され、排出口側へと送られることになる。
【００１２】
前記の構成ではさらに、回転ドラムの開口よりも小径の導入部材を、その回転ドラムに対して偏心して配置している。このことによって、前記回転方向の前側と後側とのそれぞれにおいて、導入部材の全周面の内の一部である側部と回転ドラムの内周面と間に形成される２つの隙間の内、回転方向前側の隙間は相対的に狭く設定されるため、塵芥の通過がさらに規制される。従って、回転ドラムが回転するに伴い、回転ドラムの内周面に沿って回転方向後側から前側に向かって移送される塵芥は、前記回転方向前側の隙間を通過することができない。そうして、その隙間を通過できない塵芥は、排出口側へと移送されるようになる。このように、回転ドラム内に塵芥の量が比較的少ないときは勿論のこと、塵芥量が比較的多量になったときでも、回転ドラムの回転によって、塵芥を排出口側に確実に送り込むことが可能になる。
【００１３】
前記投入口は、前記回転ドラムの回転中心軸よりも下側の位置に配置されている、としてもよい。
【００１４】
こうすることで、塵芥貯留装置における塵芥投入高さが、低くなる。このことは、人がその投入口に塵芥を直接投入する場合において、塵芥貯留装置の使い勝手を向上させる。
【００１５】
特に回転ドラムを備えた塵芥貯留装置において、その回転ドラムの回転中心軸の高さは、塵芥貯留装置内の塵芥を収集する塵芥収集車の投入高さに合わせて設定される。このため、回転ドラムの回転中心軸の高さは、比較的高い位置に設定されることになり、従来の塵芥貯留装置では、投入口の高さも比較的高くなりがちであった。ところが、前記の構成では、投入口の位置を、回転ドラムの回転中心軸よりも下側の位置に設定することによって、回転ドラムの設置高さの制約を受けることなく、投入口が、直接投入に適当な位置に配置されることになる。
【００１６】
前記導入部材は、前記回転ドラムの回転中心軸から下側の部分よりなる半円筒形状を有している、としてもよい。
【００１７】
前述したように、投入口を回転ドラムの回転中心軸よりも下側の位置に設定することによって、導入部材における回転ドラムの回転中心軸から上側の部分は不要になる。そこで、導入部材を半円筒形状にして、導入部材を小型化することによって、回転ドラムの容量がその分拡大する。また、導入部材の材料費も節約される。
【発明の効果】
【００１８】
以上説明したように、本発明によると、回転ドラムの開口から略円筒形状の導入部材を挿入してその内部に配置することにより、回転ドラムの開口近傍（投入口近傍）において、導入部材の周面と回転ドラムの内周面との間に径方向に、比較的狭い隙間が形成されることで、塵芥が投入口の近傍において回転ドラムの内周面に沿ってぐるぐると周回することが抑制されると共に、導入部材をさらに、回転ドラムに対して偏心して配置することによって、回転方向前側において形成される導入部材と回転ドラムとの隙間が相対的に狭くなるため、塵芥が周回することがさらに規制される。そうして、回転ドラム内に塵芥の量が比較的少ないときは勿論のこと、塵芥量が比較的多量になったときでも、回転ドラムの回転によって、塵芥を排出口側に確実に送り込むことができ、塵芥貯留装置の圧縮効率を高めることができる。
【発明を実施するための最良の形態】
【００１９】
以下、本発明の実施形態を図面に基づいて説明する。尚、以下の好ましい実施形態の説明は、本質的に例示に過ぎず、本発明、その適用物或いはその用途を制限することを意図するものではない。
【００２０】
図１は、実施形態に係る塵芥貯留装置１の全体を示している。この塵芥貯留装置１は、例えば集合住宅等に設置されて、塵芥収集車９によって回収されるまでの間、各家庭等から排出された塵芥を一時的に貯留する装置である。ここで、本実施形態では、塵芥貯留装置１に対して塵芥を投入する投入口３２１に手動の開閉扉３２２を取り付けて、その投入口３２１に、人が直接、塵芥を投入するように構成されている。しかしながら、塵芥を投入する構成は、これに限定されるものではなく、例えば、図示は省略するが、投入口に反転投入装置を取り付けることによって、セットしたコレクタを自動で持ち上げて、塵芥を投入口に投入するようにしてもよいし、前記塵芥貯留装置の投入口を、集合住宅等の各階に設けた投入口とシューターを介して接続するようにしてもよい。
【００２１】
尚、以下においては、図１に示す塵芥貯留装置１の側面視において、図の左側を塵芥貯留装置１の前側、図の右側を塵芥貯留装置１の後側と呼ぶと共に、図２に示す塵芥貯留装置１の正面視において、図の左側を塵芥貯留装置１の左側、図の右側を塵芥貯留装置１の右側と呼ぶ場合がある。
【００２２】
塵芥貯留装置１は、両端開口の略円筒形状を有しかつ、その内部に塵芥を貯留する回転ドラム２を備えている。回転ドラム２は、図１において仮想的に示すカバー２９内に配設されている。回転ドラム２は、筒軸方向の一側（図１の左側）から他側（図１の右側）に向かって順に、投入側テーパ部２１、直胴部２２及び排出側テーパ部２３が互いに連続して配置されることにより、構成されている。
【００２３】
投入側テーパ部２１は、前記直胴部２２の一端から筒軸方向の一側に向かって、所定のテーパ角度で先細となるように形成されており、その一端の開口２１１は、図２等に示すように、比較的大径の円形状に構成されている。後述するように、この開口２１１には導入部材３が挿入され、その導入部材３によって、この開口２１１は閉塞される。
【００２４】
直胴部２２は、筒軸方向に一定の径で延びている部分である。例えば回転ドラム２の容量を変更する場合には、この直胴部２２の筒軸方向の長さを変更すればよい。
【００２５】
排出側テーパ部２３は、前記直胴部２２の他端から筒軸方向の他側に向かって、前記投入側テーパ部２１のテーパ角度よりも大きいテーパ角度で先細となるように形成されている。排出側テーパ部２３の他端に設けられた開口は、回転ドラム２内に貯留されている塵芥を排出するための排出口２３１として機能し、この排出口２３１は、開閉部２３２によって開閉可能に構成されている。
【００２６】
また、図示は省略するが、回転ドラム２の内周面には、螺旋状の羽根が、回転ドラム２の開口２１１から排出口２３１に向かって、筒軸方向に延びるように配設されている。
【００２７】
そうして、回転ドラム２の筒軸が水平方向に延びるように、その回転ドラム２が配設された状態で、投入側テーパ部２１の外周面と、排出側テーパ部の外周面とのそれぞれの面がローラ２４によって支持されることにより、この回転ドラム２は、その筒軸（以下、回転中心軸Ｘ１と呼ぶ）を中心として回転可能に配置されることになる。また、図示は省略するが、この回転ドラム２には、例えばモータ等の駆動源を含む駆動機構が設けられており、この駆動機構が作動することによって、回転ドラム２は、後述するように塵芥を排出口２３１に送り込むときには、図２に矢印で示すように、塵芥貯留装置１を正面から見て反時計回り方向に回転するように構成されている。尚、回転ドラム２は、駆動機構の作動によって時計回り方向にも回転可能に構成されており、必要に応じて時計回りに回転することがある。
【００２８】
回転ドラム２における排出口２３１の後方位置には、回転ドラム２と塵芥収集車９との間に介在するようにコンベア２５が配設されている。コンベア２５は、回転ドラム２の排出口２３１から排出された塵芥を塵芥収集車９の投入口まで搬送する。
【００２９】
一方、回転ドラム２における回転中心軸Ｘ１方向の一端部付近には、この回転ドラム２の一端部を取り囲むように、門型のフレーム２６が配設されていると共に、この門型フレーム２６に対して導入部材３が取り付けられている。
【００３０】
導入部材３は、図２，３に示すように、門型フレーム２６の前側に対して固定されて、回転ドラム２の回転中心軸Ｘ１方向の一端側の開口２１１を覆う略矩形板状の閉塞プレート３１と、塵芥を投入するための投入部３２と、回転ドラム２の開口２１１のシールを行うシール部３３と、回転ドラム２の開口２１１を通じてその内部に配設される挿入部３４と、を備えて構成されている。
【００３１】
シール部３３は、前記閉塞プレート３１の裏面から突出するフランジ３３１が、回転ドラム２の開口２１１よりも小径でかつ、当該開口２１１と同軸の環状となるように設けられた部分であり、その環状のフランジ３３１の外周面の全域に亘って、所定の断面形状を有するシール部材３３２が取り付けられて構成されている。図３，５に示すように、シール部３３は、回転ドラム２の開口２１１を横切るように、その開口２１１内に挿入されており、これによって、その外周面に取り付けられたシール部材３３２が、回転ドラム２の開口２１１の縁部における内壁に対して摺動可能に当接する。このことで、回転する回転ドラム２と、静止している導入部材３との間のシールが行われる。
【００３２】
前記環状のフランジ３３１の突出端に対しては、略円形状の支持プレート３３３が取り付けられており、この支持プレート３３３に対して、投入部３２及び挿入部３４がそれぞれ固定されている。
【００３３】
投入部３２は、前記支持プレート３３３から、前方に向かって延びるように配設された筒型の部材であって、その前端開口には、図１においてのみ図示する、手動の開閉扉３２２が取り付けられている。この前端開口によって、開閉扉３２２により開閉可能でかつ、塵芥を投入するための投入口３２１が構成される。一方、投入部３２の後端は、前記支持プレート３３３を厚み方向に貫通しており、投入部３２の後端開口は、支持プレート３３３の裏面側に開口している。ここで、投入部３２は、上下左右に配設された４つの区画壁によって区画形成されることで、全体として横断面略矩形状を有しており、この内、下側の区画壁は、投入口３２１から後方に向かって水平方向に延びる水平部分３２３と、その水平部の後端に連続すると共に下向きに傾斜したシュート部分３２４とからなる。このシュート部分３２４によって、投入口３２１から投入された塵芥が、スムースに回転ドラム２内に導入されるようにしている。
【００３４】
この投入部３２はまた、回転中心軸Ｘ１に対して左右対称となるように配設されていると共に、回転ドラム２の回転中心軸Ｘ１よりも下側位置に配設されるように円形状の支持プレート３３３における下端部に配設されている。このことにより、この塵芥貯留装置１では、図１に示すように、投入口３２１の投入高さ（Ｈ）が、比較的低くなるように設定されている。このように投入高さを低くすることによって、人が塵芥を投入口３２１から直接投入し易くなり、塵芥貯留装置１の使い勝手が良くなる。
【００３５】
挿入部３４は、支持プレート３３３の裏面に対して取り付けられかつ、後方に向かって延びるように配設されている。
【００３６】
挿入部３４は、図３，４において明確に示すように、上壁３４１と周壁３４２とを含んで下半分の半円筒状を有している。半円筒状の挿入部３４は、支持プレート３３３に対して、回転ドラム２の回転中心軸Ｘ１よりも下側となるように配置され、支持プレート３３３の裏面から後方に向かって延びるように配設されている。これによって、挿入部３４は、回転ドラム２の開口２１１の近傍において、その回転ドラム２内に位置することになり、挿入部３４の周面と回転ドラム２の内周面との間の径方向に隙間が形成されることになる。
【００３７】
挿入部３４の上壁３４１は、支持プレート３３３の位置から後方の下方に向かって斜め方向に延びている。これによって上壁３４１は、半楕円形状を有することになる。
【００３８】
挿入部３４は、その前端は開口しており、これによって、挿入部３４と投入部３２とは、互いに連通している。そうして、挿入部３４における後端は閉塞されている一方、その周面には、下向きに開口する連通口３４３が形成されており、この連通口３４３を通じて、挿入部３４と回転ドラム２の内部とが互いに連通することになる。こうして、投入部３２の投入口３２１と、回転ドラム２内とが互いに連通することになり、その投入口３２１に投入された塵芥が、投入部３２及び挿入部３４を介して、回転ドラム２内に導入されることになる。
【００３９】
そうして本実施形態に係る塵芥貯留装置１において最も特徴的な点として、この半円筒状の挿入部３４は、図２，４に示すように、その径が、回転ドラム２の開口２１１の径よりも小径となるように形成されていると共に、挿入部３４は、その筒軸Ｘ２が回転ドラム２の回転中心軸Ｘ１に対して水平方向に偏心するように配置されている。より詳細には、図２，４に示すように、回転ドラム２の回転中心軸Ｘ１方向に見たときに、回転ドラム２の回転中心軸Ｘ１を通る鉛直線を挟んだ左右の両側、つまり回転ドラム２の回転方向の前側（図２における左側、図４における右側）と、回転方向の後側（図２における右側、図４における左側）の内、挿入部３４の筒軸Ｘ２が、回転ドラム２の回転中心軸Ｘ１に対して水平にかつ、回転方向の前側に位置するように、挿入部３４が配設されている。このことにより、挿入部３４における左右の側部と、回転ドラム２の内周面との間で径方向に形成される２つの隙間Ｃ１，Ｃ２の内、回転方向の前側の隙間Ｃ２は、回転方向の後側の隙間Ｃ１よりも狭くなるようになっている。
【００４０】
次に、前記構成の塵芥貯留装置１の動作について説明する。先ず、この塵芥貯留装置１に塵芥を投入するときには、開閉扉３２２を手で開けることで、投入口３２１を開放して、その投入口３２１を通じて、例えば袋に入った塵芥を投入する。前述したように、この塵芥貯留装置１では、投入口３２１の位置が比較的低い位置に設定されているため、人は、そのまま投入口３２１から塵芥を投入することができる。これによって、例えば投入口の高さが比較的高いときには、その投入口の前に、人が載るためのステップや、スロープを設けなければならなくなるところ、この塵芥貯留装置１では、そうした設備は不要である。
【００４１】
投入口３２１から投入された塵芥は、投入部３２から挿入部３４を通って、連通口３４３から回転ドラム２の内部に導入される。それと共に、図示省略のセンサが、塵芥が投入されたことを検出する。その投入検出に基づいて、図示省略の制御部が駆動手段を作動することにより、回転ドラム２が、図２に示す反時計回りに、所定量だけ回転する。尚、塵芥を投入する度に回転ドラム２を回転させるのではなく、回転ドラム２内に所定量の塵芥が投入されたときに、回転ドラム２を回転させるようにしてもよい。
【００４２】
回転ドラム２の回転に伴い、その内周面に取り付けられた螺旋状の羽根（図示省略）が回転中心軸Ｘ１を中心として回転し、このことによって、連通口３４３の付近にある塵芥は、螺旋状の羽根により回転ドラム２の内周面に沿って移動する。このときに、例えば連通口３４３の縁等によって塵芥の入った袋が破れ、その内部の空気が抜けるようになる。このように導入部材３は、回転ドラム２内に投入される袋入り塵芥の破袋機能を有しており、このことによって、塵芥の容積を小さくすることができる。
【００４３】
そうして、螺旋状の羽根によって回転ドラム２の内周面に沿って移動する塵芥は、挿入部３４の左右両側と回転ドラム２の内周面との間の隙間Ｃ１，Ｃ２の内、回転方向後側の隙間Ｃ１を通って上方に移動すると共に、挿入部３４の上方を通って回転方向前側へと移動する（図２，３の白抜きの矢印参照）。そうして塵芥は、回転方向前側における、挿入部３４の側部と回転ドラム２の内周面との隙間Ｃ２へと至るようになるが、この回転方向前側の隙間Ｃ２は相対的に狭いため、塵芥がこの隙間Ｃ２を通過することは抑制される。このため塵芥は、挿入部３４の上壁３４１上に載るようになって、その上壁３４１によって排出口２３１の側の下方に向かって滑り落ちるようになる。その後、塵芥は、螺旋状の羽根によって排出口２３１の側へとさらに送り込まれるようになる。このようにして、塵芥は、投入口３２１の近傍位置において回転ドラム２の内周面に沿ってぐるぐると周回してしまうことなく、排出口２３１の側へ送り込まれる。
【００４４】
また回転ドラム２内の塵芥の量が多くなったときでも、前記と同様に、塵芥が回転方向前側の隙間Ｃ２を通過し難くなっているため、塵芥を、挿入部３４の上壁３４１を通じて排出口２３１の側の下方に向かって滑り落とすことができる。従って、回転ドラム２内の塵芥の量が多くなったときには、螺旋状の羽根のみでは、塵芥が排出口側へと送り込まれ難くなり、塵芥が投入口の近傍位置において回転ドラムの内周面に沿って周回してしまいがちになるのに対し、この構成の塵芥貯留装置１では、そうした現象の発生を防止して、塵芥を排出口２３１の側に確実に送り込むことができるようになる。
【００４５】
回転ドラム２内が塵芥が満量になる等によって、その回転ドラム２内の塵芥を排出するときには、開閉部２３２により排出口２３１を開けると共に、回転ドラム２を回転させながらコンベア２５を駆動する。このことで、回転ドラム２内の塵芥は排出口２３１を通じて排出されて、コンベア２５により塵芥収集車９に搬送されることになる。
【００４６】
このように、本実施形態に係る塵芥貯留装置１によると、回転ドラム２の開口２１１近傍に挿入部３４を設けると共に、その挿入部３４をさらに、回転ドラム２に対して偏心させて配置することによって、回転方向前側における挿入部３４の側部と回転ドラム２の内周面との間の隙間Ｃ２を狭くしている。このことにより、塵芥がこの隙間Ｃ２を通過することを抑制すると共に、螺旋状の羽根によって挿入部３４の上方に持ち上げられた塵芥を、挿入部３４の上壁３４１によって排出口２３１の側の下方に向かって滑り落ちるようにして、塵芥を排出口２３１の側に確実に送り込むことができるようになる。
【００４７】
こうして、この構成の塵芥貯留装置１では、塵芥を排出口２３１の側に確実に送り込むことができるため、回転ドラム２内で塵芥を、効率的に圧縮して貯留することができる。
【００４８】
尚、前記の構成では、回転ドラム２の回転中心軸Ｘ１と挿入部３４の筒軸Ｘ２とを水平方向に偏心させているが、挿入部３４の筒軸Ｘ２が、回転ドラム２の回転中心軸Ｘ１に対して回転方向の前側に偏心するのであれば、必ずしも水平方向に偏心させなくてもよい。
【００４９】
ここで、前記の塵芥貯留装置１とは異なり投入口と回転ドラムの開口位置との間の距離が離れているときには、投入口と連通口との間の全体を、後方下向きに傾斜したシュート部分によって連結しなければ、投入口から投入した塵芥を回転ドラムまで確実に導入することができない。このため、シュート部分の上端に位置する投入口は、比較的高い位置に位置することになる。
【００５０】
これに対し、前記構成の塵芥貯留装置１では、閉塞プレート３１を門型フレーム２６の前側に固定することによって、回転ドラム２の位置を、できるだけ投入口３２１に近づけるようにしている。このため、図３に示すように、シュート部分３２４の長さを短くしても、投入口３２１から投入した塵芥を、回転ドラム２内に確実に導入することができる。その結果、この塵芥貯留装置１では、投入口３２１の高さを任意に設定することができるようになる。この塵芥貯留装置１では、投入にし易さを考慮して、投入口３２１の高さ位置を比較的低い位置に設定するようにしている。
【００５１】
また、回転ドラム２を備えた塵芥貯留装置１では、塵芥収集車９の投入口高さに合わせて、排出口２３１の高さを設定する必要がある。このため、回転ドラム２の回転中心軸Ｘ１の高さは、その排出口２３１の高さの制約を受け、回転ドラム２の回転中心軸Ｘ１の高さを、所定高さよりも低くすることはできない。
【００５２】
これに対し、この塵芥貯留装置１では、回転ドラム２の投入側の開口２１１を比較的大径となるようにしており、これによって、回転ドラム２の回転中心軸Ｘ１の高さ位置は、所定高さよりも低くすることができないとしても、開口２１１の最下位置は比較的低い位置にすることが可能になる。その結果、投入口３２１の高さ位置を、より一層低い位置に設定することを可能にしている。
【００５３】
具体的にこの塵芥貯留装置１では、回転ドラム２の回転中心軸Ｘ１よりも下側に、投入口３２１を配設しており、このことによってこの塵芥貯留装置１では、人は、そのまま投入口から塵芥を投入することができるようになっている。
【００５４】
尚、回転ドラム２を、投入口３２１に対して、できるだけ前方位置に位置付けることは、塵芥貯留装置１の設置スペースを小さくする上でも有効である。
【００５５】
また、挿入部３４としては、下半分だけでなく、上半分も含めて全体として円筒形状に形成することも可能である。しかしながら、前述したように、投入口３２１を回転ドラム２の回転中心軸Ｘ１よりも下側に配設することによって、仮に挿入部３４を円筒形状としても、その上半分の部分は不要な部分となる。そこで、挿入部３４を半円筒形状にすることによって、その分、回転ドラム２の容量が増えることになる。また、挿入部３４の材料費も節約することができるという利点がある。
【産業上の利用可能性】
【００５６】
以上説明したように、本発明は、回転ドラム内で塵芥を効率的に圧縮して貯留することができるため、回転ドラムを備えた塵芥貯留装置として有用である。
【図面の簡単な説明】
【００５７】
【図１】塵芥貯留装置の側面説明図である。
【図２】塵芥貯留装置の正面図である。
【図３】図２のIII−III断面図である。
【図４】導入部材の背面図である。
【図５】導入部材のシール部分を拡大して示す断面図である。
【符号の説明】
【００５８】
１    塵芥貯留装置
２    回転ドラム
２１１  開口
２３１  排出口
３  導入部材
３２１  投入口
３４３  連通口
Ｃ１  回転方向後側の隙間
Ｃ２  回転方向前側の隙間
Ｘ１  回転中心軸
Ｘ２  筒軸
【図１】
2010083621.tif 000003
【図２】
2010083621.tif 000004
【図３】
2010083621.tif 000005
【図４】
2010083621.tif 000006
【図５】
2010083621.tif 000007